(57)【特許請求の範囲】
【請求項１】
光ファイバ心線の余長を収納するケース本体（12）と、このケース本体（12）の上端縁に開閉可能に連結された蓋（14）とを有し、上端縁の両端付近に形成された１対の取付け穴（18）を、この取付け穴（18）と同じ間隔で配置された１対の支持棒（20）に取り付けることにより、支持棒（20）に吊り下げられるようになっている光ファイバ心線余長収納ケースにおいて、
前記取付け穴（18）はケース本体（12）のみに形成し、蓋（14）の前記取付け穴（18）に相当する部分とその下部は切欠き部（34）とし、この切欠き部（34）に、蓋（14）が閉じているときは前記取付け穴（18）の下部に位置し、蓋（14）を開くと弾性変形により支持棒（20）を乗り越えて支持棒（20）に引っ掛かるようになっている係止片（36）を突設したことを特徴とする光ファイバ心線余長収納ケース。
【発明の詳細な説明】
【０００１】
【発明の属する技術分野】
本発明は、支持棒に吊り下げるタイプの光ファイバ心線余長収納ケースに関するものである。
【０００２】
【従来の技術】
従来のこの種の光ファイバ心線余長収納ケースを図４に示す。この余長収納ケース10は、ばね弾性のあるプラスチックシートを折り曲げ成形することにより、光ファイバ心線の余長を収納するケース本体12と、蓋14を形成したものである。蓋14はケース本体12と上端縁の折り曲げ部16で連結された状態にあり、弾性変形により開閉可能である。またケース本体12及び蓋14の上端縁両端付近には取付け穴18が形成されている。
【０００３】
この余長収納ケース10は、１対の取付け穴18を、それと同じ間隔で配置された１対のリング状の支持棒20に取り付けることにより、支持棒20に吊り下げられるようになっている。なおケース本体12及び蓋14には、上端縁から取付け穴18に達するスリット（図示せず）が形成されており、取付け穴18はこのスリットを通して支持棒20に取り付けられるようになっている。
【０００４】
１対のリング状の支持棒20は支持アーム22に固定され、支持アーム22は連結フレーム24に固定されている。連結フレーム24は、図５に示すように、両端の端末フレーム26を連結するものである。端末フレーム26には光ケーブルの端部を位置決めするスペーサ28が一体に設けられている。これらの部材は水密構造の筐体30内に収納されるようになっている。
【０００５】
図５から明らかなように、１対のリング状の支持棒20は筐体30内に中心部に配置されており、この支持棒20に吊り下げられた余長収納ケース10は、リング状の支持棒20をガイドとして支持棒20のまわりに回転移動可能である。したがって支持棒20には、図５（ｃ）に示すように多数の余長収納ケース10を放射状に取り付けることができ、これにより多数の光ファイバ心線を収納することができるようになっている。
【０００６】
【発明が解決しようとする課題】
従来の、支持棒に吊り下げるタイプの光ファイバ心線余長収納ケースは、前述のように、ばね弾性のあるプラスチックシートを折り曲げ成形することにより作られたものであるため、蓋は下端縁を指でつまんで持ち上げれば、弾性変形して簡単に開くことができる。しかし蓋は、開く力を解除すると、ばね弾性で閉じた状態に戻ってしまうために、開いた状態に保持することが困難である。このため従来の余長収納ケースでは、光ファイバ心線の収納作業を一人で行うことが難しく、光ファイバ心線の収納作業が二人がかりになるという問題があった。
【０００７】
本発明の目的は、以上のような問題点に鑑み、支持棒に吊り下げるタイプの光ファイバ心線余長収納ケースで、蓋を開いた状態に保持できるようにすることにある。
【０００８】
【課題を解決するための手段】
この目的を達成するため本発明は、光ファイバ心線の余長を収納するケース本体と、このケース本体の上端縁に開閉可能に連結された蓋とを有し、上端縁の両端付近に形成された１対の取付け穴を、この取付け穴と同じ間隔で配置された１対の支持棒に取り付けることにより、支持棒に吊り下げられるようになっている光ファイバ心線余長収納ケースにおいて、前記取付け穴はケース本体のみに形成し、蓋の前記取付け穴に相当する部分とその下部は切欠き部とし、この切欠き部に、蓋が閉じているときは前記取付け穴の下部に位置し、蓋を開くと弾性変形により支持棒を乗り越えて支持棒に引っ掛かるようになっている係止片を突設したことを特徴とするものである。
【０００９】
【発明の実施の形態】
以下、本発明の実施形態を図面を参照して詳細に説明する。
図１ないし図３は本発明の一実施形態を示す。この光ファイバ心線余長収納ケース10は、従来同様、光ファイバ心線の余長を収納するケース本体12と、このケース本体12の上端縁に開閉可能に連結された蓋14とを有している。図１（ａ）、（ｂ）及び図２は蓋14を閉じた状態を、図１（ｃ）、（ｄ）及び図３は蓋14を開いた状態を示している。
【００１０】
ケース本体12と蓋14は上端縁でヒンジ部32により開閉可能に連結されている。ヒンジ部32による連結であるため、蓋14は図３のように全開することが可能である。
【００１１】
余長収納ケース10をリング状の支持棒20に取り付けるための取付け穴18は、ケース本体12のみに形成され、蓋14には形成されていない。蓋14の両端の、前記取付け穴18に相当する部分とその下部は、蓋14を開いたときに支持棒20に当たらないように、切欠き部34となっている。この切欠き部34には、蓋14が閉じた状態のときに取付け穴18の下部に位置するように係止片36が突設されている。この係止片36は、蓋14を開いていくと支持棒20に当たるが、さらに開くと弾性変形して支持棒20を乗り越えられるようになっている。
【００１２】
このため蓋14を、係止片36が支持棒20を乗り越える角度まで開くと、蓋14は、それを開いておく力が解除されても、係止片36が支持棒20の内周側に引っ掛かるため、図１（ｃ）、（ｄ）のように開いた状態を保持することが可能である。このような状態を保持できれば、光ファイバ心線の収納作業を一人で行うことが可能である。
【００１３】
なお図において、38ａ〜38ｄはケース本体12に設けた光ファイバ心線の飛び出し防止片である。
以上の実施形態では支持棒20がリング状である場合を示したが、支持棒20は直線状である場合もある。
【００１４】
【発明の効果】
以上説明したように本発明によれば、支持棒に吊り下げるタイプの光ファイバ心線余長収納ケースで、蓋を開いた状態に保持できるようにしたので、光ファイバ心線の収納作業を一人で簡単に行うことが可能となり、工数節減を図ることができる。
【図面の簡単な説明】
【図１】  本発明に係る光ファイバ心線余長収納ケースの一実施形態を支持棒に吊り下げた状態で示す、（ａ）は蓋を閉じた状態の正面図、（ｂ）は同側面図、（ｃ）は蓋を開いた状態の正面図、（ｄ）は同側面図。
【図２】  図１の余長収納ケースの蓋を閉じた状態を示す、（ａ）は正面図、（ｂ）は側面図、（ｃ）は底面図。
【図３】  図１の余長収納ケースの蓋を開いた状態を示す、（ａ）は正面図、（ｂ）は側面図、（ｃ）は底面図。
【図４】  従来の光ファイバ心線余長収納ケースを支持棒に吊り下げた状態で示す、（ａ）は平面図、（ｂ）は正面図、（ｃ）は側面図。
【図５】  図４の余長収納ケースの筐体への収納状態を示す、（ａ）は平面図、（ｂ）は正面図、（ｃ）は側面図。
【符号の説明】
10：余長収納ケース
12：ケース本体
14：蓋
18：取付け穴
20：リング状の支持棒
22：支持アーム
32：ヒンジ部
34：切欠き部
36：係止片
【図１】
0003856191.tif 000002
【図２】
0003856191.tif 000003
【図３】
0003856191.tif 000004
【図４】
0003856191.tif 000005
【図５】
0003856191.tif 000006